【手続補正書】
【提出日】平成26年3月5日(2014.3.5)
【手続補正１】
【補正対象書類名】特許請求の範囲
【補正対象項目名】全文
【補正方法】変更
【補正の内容】
【特許請求の範囲】
【請求項１】
緑色の第１サブ画素と、緑色を含む第２サブ画素と、マゼンダ色の第３サブ画素とを有する光変調素子と、
黄色の照明光と、シアン色の照明光とによって前記光変調素子を照明可能な光源と、を備え、
前記黄色の照明光によって、前記第１サブ画素及び前記第２サブ画素で緑を表すとともに、前記第３サブ画素で赤を表し、
前記シアン色の照明光によって、前記第１サブ画素及び前記２サブ画素で緑を表すとともに、前記第３サブ画素で青を表す、表示装置。
【請求項２】
前記第１及び第２サブ画素の合計のサブ画素数と、前記第３サブ画素のサブ画素数との比率は、２：１である、請求項１に記載の表示装置。
【請求項３】
前記第２サブ画素は、白色のサブ画素である、請求項１及び２のいずれか一項に記載の表示装置。
【請求項４】
前記光源は、前記黄色の照明光と、前記シアン色の照明光とを時分割で切り替えつつ前記光変調素子を照明する、請求項３に記載の表示装置。
【請求項５】
前記黄色の照明光によって、緑色の前記第１サブ画素と、白色の前記第２サブ画素と、マゼンダ色の前記第３サブ画素とを照明する際に、マゼンダ色の前記第３サブ画素を赤色の信号で動作させるとともに、緑色の前記第１サブ画素及び白色の前記第２サブ画素を緑の信号で動作させ、
前記シアン色の照明光によって、緑色の前記第１サブ画素と、白色の前記第２サブ画素と、マゼンダ色の前記第３サブ画素とを照明する際に、マゼンダ色の前記第３サブ画素を青色の信号で動作させるとともに、緑色の前記第１サブ画素及び白色の前記第２サブ画素を緑の信号で動作させる、請求項４に記載の表示装置。
【請求項６】
前記光源は、緑色の発光素子と、赤色の発光素子と、青色の発光素子とを有し、前記黄色の照明光で前記光変調素子を照明する際に、前記緑色の発光素子と、前記赤色の発光素子とを点灯させ、前記シアン色の照明光で前記光変調素子を照明する際に、前記緑色の発光素子と、前記青色の発光素子とを点灯させる、請求項１から５までのいずれか一項に記載の表示装置。
【請求項７】
前記光変調素子は、液晶表示装置である、請求項１から６までのいずれか一項に記載の表示装置。
【請求項８】
請求項１から７までのいずれか一項に記載の表示装置と、
前記表示装置によって形成された画像を投射する投射レンズと、を備えるプロジェクター。
【手続補正２】
【補正対象書類名】明細書
【補正対象項目名】００１８
【補正方法】変更
【補正の内容】
【００１８】
【図１】実施形態のプロジェクターの構造を説明するブロック図である。
【図２】（Ａ）は、光源の構造を説明する図であり、（Ｂ）は、液晶パネルを構成するサブ画素を説明する図である。
【図３】（Ａ）は、液晶パネルの第１の表示状態を説明する概念図であり、（Ｂ）は、液晶パネルの第２の表示状態を説明する概念図である。
【図４】プロジェクターによるカラー画素の表示状態を概念的に説明する図である。
【図５】液晶パネルや光源の動作を説明するチャートである。
【図６】（Ａ）〜（Ｄ）は、液晶パネルにおける情報の書き換えを説明する図である。
【手続補正３】
【補正対象書類名】明細書
【補正対象項目名】００２３
【補正方法】変更
【補正の内容】
【００２３】
図２（Ｂ）に模式的に示すように、液晶パネル１４ａを構成するサブ画素ＰＥは、カラー表示画素（いわゆる画素）よりも細分化されたものであり、縦横２次元的に一様に配列されており、緑色の第１サブ画素ＰＧと、白色の第２サブ画素ＰＷと、マゼンダ色の第３サブ画素ＰＭとに区分されている。まず、緑色の第１サブ画素ＰＧ（Ｇ）は、Ｘ方向の横一列に隙間なく配列されている。白色の第２サブ画素ＰＷ（Ｗ）は、緑色の第１サブ画素ＰＧの−Ｙ側に隣接して、Ｘ方向の横一列に隙間なく配列されている。マゼンダ色の第３サブ画素ＰＭ（Ｍｚ）は、白色の第２サブ画素ＰＷの−Ｙ側に隣接して、Ｘ方向の横一列に隙間なく配列されている。さらに、緑色の第１サブ画素ＰＧ（Ｇ）は、マゼンダ色の第３サブ画素ＰＭの−Ｙ側に隣接して、Ｘ方向の横一列に隙間なく配列されている。以上のように、本実施形態の場合、横のＸ方向には同一色のサブ画素ＰＥが並び、縦のＹ方向には緑色、白色、及びマゼンダ色のサブ画素ＰＥが周期的に並んでいる。ここで、緑色の第１サブ画素ＰＧとマゼンダ色の第３サブ画素ＰＭとについては、それぞれに対応する色のカラーフィルターが各サブ画素ＰＥの開口を覆うように形成されている。白色の第２サブ画素ＰＷについては、これに対応する色のカラーフィルターが設けられていない。ただし、カラーフィルターに代えてセル厚を等しくするような透明膜等を設けることができる。なお、簡単のために説明を省略しているが、各サブ画素ＰＧ，ＰＷ，ＰＭの境界には、サブ画素ＰＧ，ＰＷ，ＰＭ間の混色を防止するため、ブラックマトリックスを配置してもよい。
【手続補正４】
【補正対象書類名】明細書
【補正対象項目名】００３３
【補正方法】変更
【補正の内容】
【００３３】
図３（Ｂ）は、光学系部分１０による第２表示状態を示しており、光源１１は、第２のタイミングとして、緑色の発光素子ＥＧと青色の発光素子ＥＢとを同時に点灯させ、発光部１１ａからシアン色の第２照明光Ｌ２を射出させる。この結果、液晶表示装置１４又は液晶パネル１４ａは、シアン色照明光ＬＣで照明され、投射レンズ１５によって投射される画像ＰＰは、緑色の第１サブ画素ＰＧに対応するサブ表示画素Ｐｇ２と、白色の第２サブ画素ＰＷに対応するサブ表示画素Ｐｃ２と、マゼンダ色の第３サブ画素ＰＭに対応するサブ表示画素Ｐｂ２とを有する。これらのサブ表示画素Ｐｇ２，Ｐｃ２，Ｐｂ２は、液晶パネル１４ａのサブ画素配列に対応して、横方向にそれぞれ一列に配列されるとともに縦方向に順次繰り返し配置される。ここで、緑色の第１サブ画素ＰＧは、第２照明光Ｌ２のシアン色照明光ＬＣで照明されるが、カラーフィルターによって青色が除去されるので、結果的に緑色の表示を行う。つまり、サブ表示画素Ｐｇ２は、緑色の表示として観察される。次に、白色の第２サブ画素ＰＷは、第２照明光Ｌ２のシアン色照明光ＬＣで照明され、カラーフィルターによる減光がないので、シアン色の表示を行う。つまり、サブ表示画素Ｐｃ２は、シアン色の表示として観察される。最後に、マゼンダ色の第３サブ画素ＰＭは、第２照明光Ｌ２のシアン色照明光ＬＣで照明されるが、カラーフィルターによってマゼンダの補色すなわち緑色が除去されるので、結果的に青色の表示を行う。つまり、サブ表示画素Ｐｂ２は、青色の表示として観察される。
【手続補正５】
【補正対象書類名】明細書
【補正対象項目名】００３４
【補正方法】変更
【補正の内容】
【００３４】
図４を参照して、投射レンズ１５によって投射される画像ＰＰ中の特定画素（特定カラー表示画素又は特定ブロック画素）ＰＸの表示状態について説明する。図３（Ａ）に対応する第１照明光Ｌ１による照明時、すなわち緑色及び赤色の発光素子ＥＧ，ＥＲを合わせた黄色照明光ＬＹによる照明時に、特定画素ＰＸは、観察者の眼ＥＹに対してサブ表示画素Ｐｇ１，Ｐｙ１，Ｐｒ１を連結した第１の画素（ブロック画素）ＰＸ１として観察される。一方、図３（Ｂ）に対応する第２照明光Ｌ２による照明時、すなわち緑色及び青色の発光素子ＥＧ，ＥＢを合わせたシアン色照明光ＬＣによる照明時に、特定画素ＰＸは、観察者の眼ＥＹに対してサブ表示画素Ｐｇ２，Ｐｃ２，Ｐｂ２を連結した第２の画素（ブロック画素）ＰＸ２として観察される。つまり、第１照明光Ｌ１による黄色照明時（第１表示状態）には、緑、黄、及び赤で構成される３つのサブ表示画素Ｐｇ１，Ｐｙ１，Ｐｒ１を一組とした第１の画素ＰＸ１として表示が行われ、第２照明光Ｌ２によるシアン色照明時（第２表示状態）には、緑、シアン、及び青で構成される３つのサブ表示画素Ｐｇ２，Ｐｃ２，Ｐｂ２を一組とした第２の画素ＰＸ２として表示が行われる。そして、第１の画素ＰＸ１と第２の画素ＰＸ２とは、例えば２フレームの半分の時間で切り替えられるので、両画素ＰＸ１，ＰＸ２を合わせたものが画像中の特定点のカラー画素（画素ブロック）を表すことになる。つまり、投射すべき画像中の特定点の画像信号は、両画素ＰＸ１，ＰＸ２に対応する信号を合わせたものに対応する。
【手続補正６】
【補正対象書類名】明細書
【補正対象項目名】００３６
【補正方法】変更
【補正の内容】
【００３６】
各色のサブ画素ＰＧ，ＰＷ，ＰＭの書き換えについては、フレームの初期の期間ｔ１において、マゼンダ色の第３サブ画素ＰＭに対して、青色に対応する駆動信号（青色の信号）の書き換えが行われる。この際、赤色の発光素子ＥＲと青色の発光素子ＥＢとは、混色を避けるために停止している。この期間ｔ１の次の期間ｔ２において、緑色の第１サブ画素ＰＧに対して、緑色に対応する駆動信号（緑色の信号）の書き換えが行われる。この際、青色の発光素子ＥＢが点灯しているが、これらのサブ画素は互いに干渉しない。この期間ｔ２の次の期間ｔ３において、白色の第２サブ画素ＰＷに対して、緑色に対応する駆動信号（緑色の信号）の書き換えが行われる。この際、緑色の発光素子ＥＧのほかに青色の発光素子ＥＢが点灯しており、白色の第２サブ画素ＰＷは、黄色照明光ＬＹすなわち第１照明光Ｌ１で照明される。この期間ｔ３の次の期間ｔ４において、マゼンダ色の第３サブ画素ＰＭに対して、赤色に対応する駆動信号（赤色の信号）の書き換えが行われる。この際、赤色の発光素子ＥＲと青色の発光素子ＥＢとは、混色を避けるために停止している。この期間ｔ４の次の期間ｔ５において、Ｒ照明が開始される。この期間ｔ５の次の期間ｔ６において、白色の第２サブ画素ＰＷに対して、緑色に対応する駆動信号（緑色の信号）の書き換えが行われる。この際、緑色の発光素子ＥＧのほかに赤色の発光素子ＥＲが点灯しており、白色の第２サブ画素ＰＷは、シアン色照明光ＬＣすなわち第２照明光Ｌ２で照明される。
【手続補正７】
【補正対象書類名】明細書
【補正対象項目名】００４０
【補正方法】変更
【補正の内容】
【００４０】
ここで、白色の第２サブ画素ＰＷによる表示についてより詳しく説明する。図３（Ａ）に示す第１表示状態において、白色の第２サブ画素ＰＷによって、スクリーン上で黄色のサブ表示画素Ｐｙ１が形成される。一方、図３（Ｂ）に示す第２表示状態において、白色の第２サブ画素ＰＷによって、スクリーン上でシアン色のサブ表示画素Ｐｃ２が形成される。これらは、第１のタイミングのＲ照明に相当する期間ｔ５，ｔ６（図５参照）と、第２のタイミングのＢ照明に相当する期間ｔ２，ｔ３（図５参照）とにそれぞれ対応しており、周期的に高速で繰り返されるので、視覚的には、シアン色のサブ表示画素Ｐｃ２と黄色のサブ表示画素Ｐｙ１とが合成されたものとして認識される（図４等参照）。つまり、観察者は、黄色とシアン色とを加算した色、すなわち緑色に白色を加算した色を観察することになる。ここで、白色はその明るさの約８０％が緑色成分であり緑に白を加えても緑と感じさせる特性があるので、白の加算によって色調を変えることなく見かけ上の明るさを稼ぐことができる。さらに、緑色の第１サブ画素ＰＧに加えて白色の第２サブ画素ＰＷによって投射画像の解像度を向上させることができ、緑色の第１サブ画素ＰＧのみによる解像度の２倍の解像度とすることができる。ここで、マゼンダ色の第３サブ画素ＰＭによって、赤色のサブ表示画素Ｐｒ１と、青色のサブ表示画素Ｐｂ２とを形成するので、赤色や青色については形式上解像度が低下するが、見た目の解像度は、緑色の第１サブ画素ＰＧと白色の第２サブ画素ＰＷとによって高く維持される。
【手続補正８】
【補正対象書類名】明細書
【補正対象項目名】００４１
【補正方法】変更
【補正の内容】
【００４１】
以上のように、本実施形態のプロジェクター１００によれば、黄色照明光ＬＹによって、第１サブ画素ＰＧ及び第２サブ画素ＰＷで緑を表すとともに、第３サブ画素ＰＭで赤を表し、シアン色の照明光によって、第１サブ画素ＰＧ及び第２サブ画素ＰＷで緑を表すとともに、第３サブ画素ＰＭで青を表すので、緑色系の第１及び第２サブ画素ＰＧ，ＰＷによって見た目の解像度と明るさを確保することができる。なお、マゼンダ色の第３サブ画素ＰＭによって赤色や青色を表すことができる。本実施形態では、赤色や青色についてはフィールドシーケンシャル表示を行っていることになり、緑色ついては連続表示を行っていることになる。このため、カラーブレークアップを目立たないものとすることができる。
【手続補正９】
【補正対象書類名】図面
【補正対象項目名】図３
【補正方法】変更
【補正の内容】
【図３】
2012198400.tif 000001